(57)【特許請求の範囲】
【請求項１】
画像表示装置であって、
カラー画像を表す第１ないし第３の色に対応する色信号を調整する色信号調整部と、
前記色信号調整部から出力される第１ないし第３の出力色信号の表すカラー画像を表示する画像表示部と、
前記色信号調整部を制御する調整制御部と、を備え、
前記色信号調整部は、
色信号のレベルを調整するルックアップテーブルとして使用可能な第１ないし第４のＲＡＭと、
前記調整制御部からの所定の選択信号に応じて、前記第１ないし第３の色信号および所定のアドレス信号を、前記第１ないし第４のＲＡＭの入力アドレス信号として入れ換え可能に選択するアドレス選択部と、
前記所定の選択信号に応じて、前記第１ないし第４のＲＡＭから出力される出力信号のうちの少なくとも３つの出力信号を、前記第１ないし第３の色に対応する第１ないし第３の出力色信号として選択して出力するデータ選択部と、を備える、
画像表示装置。
【請求項２】
カラー画像を表す第１ないし第３の色に対応する色信号を調整する色信号調整装置であって、
色信号のレベルを調整するルックアップテーブルとして使用可能な第１ないし第４のＲＡＭと、
所定の選択信号に応じて、前記第１ないし第３の色信号および所定のアドレス信号を、前記第１ないし第４のＲＡＭの入力アドレス信号として入れ換え可能に選択するアドレス選択部と、
前記所定の選択信号に応じて、前記第１ないし第４のＲＡＭから出力される出力信号のうちの少なくとも３つの出力信号を、前記第１ないし第３の色に対応する第１ないし第３の出力色信号および所定の出力信号として選択して出力するデータ選択部と、を備える、
色信号調整装置。
【発明の詳細な説明】
【０００１】
【発明の属する技術分野】
この発明は、第１ないし第３の色信号をルックアップテーブルに従って調整する色信号調整装置及びこれを用いた画像表示装置に関する。
【０００２】
【従来の技術】
プロジェクタ等の画像表示装置には、表示デバイス、例えば、液晶パネルの非線形な入出力特性（ガンマ特性）を補正するために、色信号調整装置が設けられている。この色信号調整装置では、赤（Ｒ）、緑（Ｇ）、青（Ｂ）の各色信号の線形な階調値と、ガンマ特性を補正するための非線形な階調値との対応関係が示されたルックアップテーブルにより、入出力特性の補正が行われる。
【０００３】
図１０は、従来の色信号調整装置の概略構成を示すブロック図である。従来の色信号調整装置３００は、Ｒ、Ｇ、Ｂの各色信号に対応する３つのアドレスセレクタ回路３１０Ｒ，３１０Ｇ，３１０Ｂと、３つのＲＡＭ３２０Ｒ，３２０Ｇ，３２０Ｂとを有している。また、１つのデータセレクタ３３０を有している。３つのＲＡＭ３２０Ｒ，３２０Ｇ，３２０Ｂには、それぞれＲ、Ｇ、Ｂの各色信号に対応するルックアップテーブルが記憶される。
【０００４】
第１のアドレスセレクタ３１０Ｒは、第１のアドレス選択信号ＳＬＴＲに従って、Ｒの色信号ＲＩまたは外部の図示しないアドレスバスを介して供給されるアドレス信号ＡＤを、入力アドレス信号として選択してＲＡＭ３２０Ｒに供給する。同様に、第２のアドレスセレクタ３１０Ｇは、第２のアドレス選択信号ＳＬＴＧに従って、Ｇの色信号ＧＩまたはアドレス信号ＡＤを、入力アドレス信号として選択してＲＡＭ３２０Ｇに供給する。第３のアドレスセレクタ３１０Ｂは、第３のアドレス選択信号ＳＬＴＢに従って、Ｂの色信号ＢＩまたはアドレス信号ＡＤを、入力アドレス信号として選択してＲＡＭ３２０Ｂに供給する。
【０００５】
データセレクタ３３０は、第１ないし第３のアドレス選択信号ＳＥＬＴＲ，ＳＥＬＴＧ，ＳＥＬＴＢに従って、３つのＲＡＭ３２０Ｒ，３２０Ｇ，３２０Ｂから読み出された出力色信号ＲＯ，ＧＯ，ＢＯのうち１つを選択し、読み出しデータＲＤとして外部のデータバスに供給する。また、３つのＲＡＭ３２０Ｒ，３２０Ｇ，３２０Ｂには、外部のデータバスを介して書き込みデータＷＤが供給される。
【０００６】
各ＲＡＭ３２０Ｒ，３２０Ｇ，３２０Ｂの読み出しと書き込みは、それぞれに供給されたリードライト信号ＷＲＲ，ＷＲＧ，ＷＲＢによって制御される。各ＲＡＭ３２０Ｒ，３２０Ｇ，３２０Ｂの読み出し実行時には、それぞれ入力アドレス信号に対応するデータが読み出され、各色の出力色信号ＲＯ，ＧＯ，ＢＯとして出力される。
【０００７】
通常、画像表示装置の動作中において、第１ないし第３のアドレスセレクタ３１０Ｒ，３１０Ｇ，３１０Ｂでは、各色のＲＡＭ３２０Ｒ，３２０Ｇ，３２０Ｂの入力アドレス信号として各色の色信号ＲＩ，ＧＩ，ＢＩが選択され、各色のＲＡＭ３２０Ｒ，３２０Ｇ，３２０Ｂに記憶されたルックアップテーブルに従って対応するデータが読み出され、出力色信号ＲＯ，ＧＯ，ＢＯとして出力される。
【０００８】
各色のＲＡＭ３２０Ｒ，３２０Ｇ，３２０Ｂへの各色のルックアップテーブルの記憶は、例えば、以下のように行われる。
【０００９】
まず、Ｒ用のＲＡＭ３２０ＲにＲのルックアップテーブルを記憶する。このとき、ＲＡＭ３２０Ｒの入力アドレス信号として、第１のアドレスセレクタ３１０Ｒにおいてアドレスバスを介して供給されるアドレス信号ＡＤを選択する。そして、アドレス信号ＡＤに対応するＲＡＭ３２０Ｒのアドレスに、データバスを介して供給される書き込みデータＷＤを書き込む。このとき、ＲＡＭ３２０Ｒの出力は、通常、遮断されており、出力色信号ＲＯは接続されている図示しない終端抵抗によりハイレベルまたはロウレベルに固定される。また、書き込まれているアドレスのデータ変化がそのまま出力される構成の場合もある。
【００１０】
そして、Ｇ用のＲＡＭ３２０Ｇの入力アドレス信号として、第２のアドレスセレクタ３１０Ｇにおいてアドレス信号ＡＤを選択することにより、Ｒ用のＲＡＭ３２０Ｒと同様に、Ｇ用のＲＡＭ３２０ＧにＧ用のルックアップテーブルを記憶する。また、Ｂ用のＲＡＭ３２０Ｂの入力アドレス信号として、第３のアドレスセレクタ３１０Ｂにおいてアドレス信号ＡＤを選択することにより、Ｒ，Ｇ用のＲＡＭ３２０Ｒ、３２０Ｇと同様に、Ｂ用のＲＡＭ３２０ＢにＢ用のルックアップテーブルを記憶する。
【００１１】
以上のように、各色用のＲＡＭ３２０Ｒ，３２０Ｇ，３２０Ｂに各色のルックアップテーブルを記憶する場合には、３つのＲＡＭ３２０Ｒ，３２０Ｇ，３２０Ｂに、それぞれに対応する色のルックアップテーブルの記憶を順番に行っている。
【００１２】
なお、各色用のＲＡＭ３２０Ｒ，３２０Ｇ，３２０Ｂに各色のルックアップテーブルを記憶する作業は、通常、画像表示装置の初期化時に行われている。
【００１３】
【発明が解決しようとする課題】
しかし、画像表示装置の使用途中で、各色用のＲＡＭ３２０Ｒ，３２０Ｇ，３２０Ｂに記憶された各色のルックアップテーブルを、書き換えて更新したい場合がある。例えば、ルックアップテーブルを書き換えてコントラストやブライトネス、色合い等を調整したい場合がある。
【００１４】
通常、画像表示装置の動作中におけるルックアップテーブルの書き換えは、ブランキング期間中に実行されるのが普通である。しかし、ルックアップテーブルの書き換えは、上述したように、各ＲＡＭ３２０Ｒ，３２０Ｇ，３２０Ｂごとに順番に行うため、すべてを書き換えるにはかなりの時間を要する。このため、表示の途中でその書き換えが発生してしまう場合がある。表示の途中で書き換えが発生すると、その書き換え時に出力されるデータ、上述の例では、ハイレベルまたはロウレベルが出力されて、表示画面上にノイズが重畳されるという問題がある。
【００１５】
なお、ルックアップの書き換え時のみ、ルックアップテーブルを介さないで表示を行い、ノイズの重畳を防ぐことも可能である。しかし、この場合、ルックアップテーブルの書き換えの間中、ガンマ補正やコントラスト、ブライトネス等の調整がされていない色信号によって画像が表示されるため、画面の色あいが変わってしまうという問題がある。
【００１６】
この発明は、従来技術における上述の課題を解決するためになされたものであり、装置の動作中において、表示画面中のノイズの重畳や、表示画面の色合いの変化を発生させることなく、ルックアップテーブルの書き換えを可能とする技術を提供することを目的とする。
【００１７】
【課題を解決するための手段およびその作用・効果】
上述の課題の少なくとも一部を解決するため、本発明の画像表示装置は、
カラー画像を表す第１ないし第３の色に対応する色信号を調整する色信号調整部と、
前記色信号調整部から出力される第１ないし第３の出力色信号の表すカラー画像を表示する画像表示部と、
前記色信号調整部を制御する調整制御部と、を備え、
前記色信号調整部は、
色信号のレベルを調整するルックアップテーブルとして使用可能な第１ないし第４のＲＡＭと、
前記調整制御部からの所定の選択信号に応じて、前記第１ないし第３の色信号および所定のアドレス信号を、前記第１ないし第４のＲＡＭの入力アドレス信号として入れ換え可能に選択するアドレス選択部と、
前記所定の選択信号に応じて、前記第１ないし第４のＲＡＭから出力される出力信号のうちの少なくとも３つの出力信号を、前記第１ないし第３の色に対応する第１ないし第３の出力色信号として選択して出力するデータ選択部と、を備えることを特徴とする。
【００１８】
上記構成において、通常の動作時には、第１ないし第３の色信号に対応する第１ないし第３のルックアップテーブルは、第１ないし第４のＲＡＭのうちいずれか３つのＲＡＭに設定されており、１つのＲＡＭが空き状態（ルックアップテーブルとして利用されない状態）となる。第１ないし第３のルックアップテーブルを更新したい場合には、例えば、以下のように行うことが可能である。第１ないし第３のＲＡＭに更新前の第１ないし第３のルックアップテーブルが設定されているとすると、第４のＲＡＭが空き状態となっている。このとき、第４のＲＡＭに更新したい第１のルックアップテーブルを設定する。こうすると、更新前の第１のルックアップテーブルが設定されていた第１のＲＡＭが空き状態となる。このとき、空き状態となった第１のＲＡＭに更新したい第２のルックアップテーブルを設定する。これにより、更新前の第２のルックアップテーブルが設定されていた第２のＲＡＭが空き状態となる。そして、空き状態となった第２のＲＡＭに更新したい第３のルックアップテーブルを設定する。
【００１９】
以上のように、４つのＲＡＭのうち１つが順にあき状態となっている。この空き状態のＲＡＭに更新したいルックアップテーブルを順に設定すれば、色信号の調整に利用されていないＲＡＭのみを利用して、新たなルックルックアップテーブルの設定ができる。これにより、従来例で説明したような、装置の動作中において発生する表示画面中のノイズの重畳や、表示画面の色合いの変化を発生させることなく、ルックアップテーブルの書き換えを可能とすることができる。
【００２０】
本発明の第２の装置は、カラー画像を表す第１ないし第３の色に対応する色信号を調整する色信号調整装置であって、
色信号のレベルを調整するルックアップテーブルとして使用可能な第１ないし第４のＲＡＭと、
所定の選択信号に応じて、前記第１ないし第３の色信号および所定のアドレス信号を、前記第１ないし第４のＲＡＭの入力アドレス信号として入れ換え可能に選択するアドレス選択部と、
前記所定の選択信号に応じて、前記第１ないし第４のＲＡＭから出力される出力信号のうちの少なくとも３つの出力信号を、前記第１ないし第３の色に対応する第１ないし第３の出力色信号および所定の出力信号として選択して出力するデータ選択部と、を備えることを特徴とする。
【００２１】
本発明の色信号調整装置を、画像表示装置の色信号調整部に適用することにより、本発明の画像表示装置を構成することができる。
【００２２】
【発明の実施の形態】
Ａ．画像表示装置の全体構成：
次に、本発明の実施の形態を実施例に基づき説明する。図１は、この発明の実施例としての画像表示装置の全体構成を示すブロック図である。この画像表示装置は、画像処理部としてのＡＤ変換回路１０とビデオプロセッサ２０と画像メモリ３０と、色信号調整部（色信号調整装置）としての色信号調整回路４０と、画像表示部としての液晶パネル駆動回路５０と液晶パネル６０と、調整制御部としてのコントローラ７０とＲＯＭ８０と、を備えている。ビデオプロセッサ２０と色信号調整回路４０とは、バス７０ｂを介してコントローラ７０に接続されている。コントローラ７０はＣＰＵ等で構成されており、ＲＯＭ８０に記憶されているデータに従って、ビデオプロセッサ２０や色信号調整回路４０の動作を制御する。また、ＲＯＭ８０に記憶されているデータに従って、ビデオプロセッサ２０や色信号調整回路４０の種々の設定を実行する。例えば、色信号調整回路４０にＲ、Ｇ、Ｂの各色のルックアップテーブルを記憶させる。
【００２３】
また、この画像表示装置はいわゆるプロジェクタであり、液晶パネル６０を照明するための照明装置９０と、液晶パネル６０から射出された画像を表す光をスクリーンＳＣ上に投射する投射光学系１００とを備えている。なお、液晶パネル６０は、照明装置９０から射出された照明光を変調するライトバルブ（光変調器）として使用されている。
【００２４】
なお、図示は省略されているが、液晶パネル６０は、Ｒ、Ｇ、Ｂ用の３枚の液晶パネルを有している。また、照明装置９０は白色光を３色の光に分離する色光分離光学系を有しており、投射光学系１００は液晶パネル６０からの３色の光を合成する合成光学系を有している。なお、このようなプロジェクタの光学系の構成については、例えば本出願人により開示された特開平１０−１７１０４５号公報に詳述されているので、ここではその説明は省略する。
【００２５】
なお、液晶パネル６０を１枚のカラー液晶パネルとし、投射光学系１００を省略して、直視型の画像表示装置とすることも可能である。
【００２６】
ＡＤ変換回路１０は、入力されるアナログ画像信号ＡＶに含まれるＲ、Ｇ、Ｂの各色の色信号をそれぞれデジタルの色信号に変換する。
【００２７】
ビデオプロセッサ２０は、ＡＤ変換回路１０から入力されるデジタルの各色信号を、一旦、画像メモリ３０に書き込むとともに、画像メモリ３０に書き込まれているデータを各色の色信号として読み出す制御を行う。この際、画像の拡大／縮小等の種々の画像処理を実行する。
【００２８】
色信号調整回路４０には、各色の色信号に対応するルックアップテーブルが記憶されている。ビデオプロセッサ２０から入力される各色の色信号は、これらのルックアップテーブルに従って、ガンマ補正やコントラスト、ブライトネス等の調整を施した色信号に変換される。色信号調整回路４０から出力された各色の色信号は、液晶パネル駆動回路５０に供給される。液晶パネル駆動回路５０は、与えられた各色の色信号に応じて、液晶パネル６０を駆動するための駆動信号を生成する。液晶パネル６０は、照明装置９０による照明光を、駆動信号に応じて変調する。変調された光は、投射光学系１００を介してスクリーンＳＣ上に投射される。これにより、スクリーンＳＣ上に画像が表示される。
【００２９】
Ｂ．色信号調整回路４０の内部構成：
図２は、色信号調整回路４０の内部構成を示すブロック図である。色信号調整回路４０は、アドレス選択回路１１０と、４つのＲＡＭ１２０〜１５０と、データ選択回路１６０とを備えている。
【００３０】
アドレス選択回路１１０は、選択信号ＳＬＴに従って、Ｒの色信号ＲＩと、Ｇの色信号ＧＩと、Ｂの色信号ＢＩと、バス７０ｂを介して供給されるアドレス信号ＡＤとを、４つのＲＡＭ１２０〜１５０のいずれの入力アドレス信号とするかを入れ換え可能に選択する。ただし、１つの信号を複数のＲＡＭの入力アドレス信号として選択することはできない。例えば、Ｒの色信号ＲＩを第１のＲＡＭ１２０の入力アドレス信号として選択した場合、Ｒの色信号ＲＩを第２ないし第４のＲＡＭ１３０〜１５０の入力アドレス信号として選択することはできない。
【００３１】
データ選択回路１６０は、選択信号ＳＬＴに従って、４つのＲＡＭ１２０〜１５０から読み出される出力信号ＲＤ１〜ＲＤ４を、Ｒ、Ｇ、Ｂの各色の出力色信号ＲＯ，ＧＯ,ＢＯおよび読み出し信号ＲＤのいずれの出力とするかを入れ換え可能に選択する。ただし、データ選択回路１６０の選択は、アドレス選択回路１１０における色信号の選択にリンクしている。例えば、第１のＲＡＭ１２０の入力アドレス信号としてＲの色信号ＲＩが選択されているならば、第１のＲＡＭ１２０の出力信号ＲＤ１は、Ｒの出力色信号ＲＯとして選択され、他の色の出力色信号ＧＯ，ＢＯや読み出し信号ＲＤとして選択されることはない。また、第１のＲＡＭ１２０の入力アドレス信号としてアドレス信号ＡＤが選択されている場合には、出力信号ＲＤ１は、読み出し信号ＲＤとして選択される。なお、このような制限は、他のＲＡＭ１３０〜１５０においても同様である。
【００３２】
４つのＲＡＭ１２０〜１５０それぞれの読み出しと書き込みは、それぞれに供給されたリードライト信号ＷＲ１ないしＷＲ４によって独立に制御される。例えば、第１のＲＡＭ１２０の入力アドレス信号としてＲの色信号ＲＩが選択されている場合には、リードライト信号ＷＲ１に従って第１のＲＡＭ１２０の読み出しが実行されて、出力信号ＲＤ１がＲの出力色信号ＲＯとして出力される。
【００３３】
また、第１のＲＡＭ１２０の入力アドレス信号としてアドレス信号ＡＤが選択されている場合には、リードライト信号ＷＲ１に従って、読み出しまたは書き込みが行われる。書き込み実行時には、第１のＲＡＭ１２０のアドレス信号ＡＤに対応するアドレスに、コントローラ７０（図１）からバス７０ｂのデータバスを介して供給される書き込みデータＷＤが書き込まれる。読み出し実行時には、アドレス信号ＡＤに対応するアドレスに書き込まれているデータが読み出されて、出力信号ＲＤ１が読み出し信号ＲＤとして出力される。読み出し信号ＲＤは、バス７０ｂのデータバスを介してコントローラ７０に供給される。
【００３４】
第２ないし第４のＲＡＭ１３０〜１５０も第１のＲＡＭ１２０と同様にして、読み出しまたは書き込みを行うことができる。
【００３５】
Ｃ．ルックアップテーブルの設定：
Ｃ１．初期設定：
図３は、画像表示装置の初期化時における色信号調整回路４０を示す説明図である。図３は、第１ないし第３のＲＡＭ１２０〜１４０に、それぞれＲ、Ｇ、Ｂ用のルックアップテーブルが設定されている場合を示している。そして、第１ないし第３のＲＡＭ１２０〜１４０の入力アドレス信号として、アドレス選択回路１１０においてＲ、Ｇ、Ｂの各色の色信号ＲＩ，Ｇ，ＢＩが選択されており、Ｒ、Ｇ、Ｂの各色の出力色信号ＲＯ，ＧＯ，ＢＯとして、データ選択回路１６０において第１ないし第３のＲＡＭ１２０〜１４０の出力信号ＲＤ１〜ＲＤ３が選択されている。なお、第４のＲＡＭ１５０にはルックアップテーブルの設定はされていない。このような画像表示装置の初期化時における各色のルックアップテーブルの設定は、以下の手順で実行される。
【００３６】
まず、第１のＲＡＭ１２０にＲ用のルックアップテーブルを設定する。図４は、第１のＲＡＭ１２０にＲ用のルックアップテーブルを設定する場合を示す説明図である。アドレス選択回路１１０において、第１のＲＡＭ１２０の入力アドレス信号としてアドレス信号ＡＤを選択し、データ選択回路１６０において第１のＲＡＭ１２０の出力信号ＲＤ１を読み出し信号ＲＤとして選択する。そして、アドレス信号ＡＤに応じて第１のＲＡＭ１２０に書き込みデータＷＤを書き込む。これにより、第１のＲＡＭ１２０にＲ用のルックアップテーブルが設定される。なお、アドレス選択回路１１０およびデータ選択回路１６０における他の信号の選択に特に制限はないが、図４の例では、Ｒの色信号ＲＩを第４のＲＡＭ１５０の入力アドレス信号とし、第４のＲＡＭ１５０の出力信号ＲＤ４をＲの出力色信号ＲＯとして選択している。また、Ｇの色信号ＧＩを第２のＲＡＭ１３０の入力アドレス信号とし、第２のＲＡＭ１３０の出力信号ＲＤ２をＧの出力色信号ＧＯとして選択している。そして、Ｂの色信号ＢＩを第３のＲＡＭ１４０の入力アドレス信号とし、第３のＲＡＭ１４０の出力信号ＲＤ３をＢの出力色信号ＢＯとして選択している。
【００３７】
なお、第１のＲＡＭ１２０に書き込み信号（書き込みデータ）ＷＤがリードライト信号ＷＲ１に応じて書き込まれている場合には、第１のＲＡＭ１２０の出力は、通常、ハイインピーダンス状態となって遮断される。これにより、書き込み信号ＷＤと出力信号ＲＤ１とがバッティングすることはない。他の第２ないし第４のＲＡＭ１３０〜１５０においても同様である。
【００３８】
次に、第２のＲＡＭ１３０にＧ用のルックアップテーブルを設定する。図５は、第２のＲＡＭ１３０にＧ用のルックアップテーブルを設定する場合を示す説明図である。アドレス選択回路１１０において、第２のＲＡＭ１３０の入力アドレス信号としてアドレス信号ＡＤを選択し、データ選択回路１６０において第２のＲＡＭ１３０の出力信号ＲＤ２を読み出し信号ＲＤとして選択する。そして、アドレス信号ＡＤに応じて第２のＲＡＭ１３０に書き込みデータＷＤを書き込む。これにより、第２のＲＡＭ１３０にＧ用のルックアップテーブルが設定される。なお、アドレス選択回路１１０およびデータ選択回路１６０における他の信号の選択に特に制限はないが、図５の例では、第１のＲＡＭ１２０にはＲ用のルックアップテーブルが設定されているので、Ｒの色信号ＲＩを第１のＲＡＭ１２０の入力アドレス信号とし、第１のＲＡＭ１２０の出力信号ＲＤ１をＲの出力色信号ＲＯとして選択している。また、Ｇの色信号ＧＩを第４のＲＡＭ１５０の入力アドレス信号とし、第４のＲＡＭ１５０の出力信号ＲＤ４をＧの出力色信号ＧＯとして選択している。そして、Ｂの色信号ＢＩを第３のＲＡＭ１４０の入力アドレス信号とし、第３のＲＡＭ１４０の出力信号ＲＤ３をＢの出力色信号ＢＯとして選択している。
【００３９】
そして、第３のＲＡＭ１４０にＢ用のルックアップテーブルを設定する。図６は、第３のＲＡＭ１４０にＢ用のルックアップテーブルを設定する場合を示す説明図である。アドレス選択回路１１０において、第３のＲＡＭ１４０の入力アドレス信号としてアドレス信号ＡＤを選択し、データ選択回路１６０において第３のＲＡＭ１４０の出力信号ＲＤ３を読み出し信号ＲＤとして選択する。そして、アドレス信号ＡＤに応じて第３のＲＡＭ１４０に書き込みデータＷＤを書き込む。これにより、第３のＲＡＭ１４０にＢ用のルックアップテーブルが設定される。なお、アドレス選択回路１１０およびデータ選択回路１６０における他の信号の選択に特に制限はないが、図６の例では、第１のＲＡＭ１２０にはＲ用のルックアップテーブルが設定されているので、Ｒの色信号ＲＩを第１のＲＡＭ１２０の入力アドレス信号とし、第１のＲＡＭ１２０の出力信号ＲＤ１をＲの出力色信号ＲＯとして選択している。また、第２のＲＡＭ１３０にはＧ用のルックアップテーブルが設定されているので、Ｇの色信号ＧＩを第２のＲＡＭ１３０の入力アドレス信号とし、第２のＲＡＭ１３０の出力信号ＲＤ２をＧの出力色信号ＧＯとして選択している。そして、Ｂの色信号ＢＩを第４のＲＡＭ１５０の入力アドレス信号とし、第４のＲＡＭ１５０の出力信号ＲＤ４をＢの出力色信号ＢＯとして選択している。
【００４０】
最後に、アドレス選択回路１１０およびデータ選択回路１６０において、Ｒの色信号ＲＩを第１のＲＡＭ１２０の入力アドレス信号とし、第１のＲＡＭ１２０の出力信号ＲＤ１をＲの出力色信号ＲＯとして選択し、Ｇの色信号ＧＩを第２のＲＡＭ１３０の入力アドレス信号とし、第２のＲＡＭ１３０の出力信号ＲＤ２をＧの出力色信号ＧＯとして選択し、Ｂの色信号ＢＩを第３のＲＡＭ１４０の入力アドレス信号とし、第３のＲＡＭ１４０の出力信号ＲＤ３をＢの出力色信号ＢＯとして選択すれば、図３に示すように設定することができる。
【００４１】
以上のようにして、画像表示装置の初期化時において、第１ないし第３のＲＡＭ１２０〜１４０にＲ、Ｇ、Ｂの各色のルックアップテーブルを設定することができる。第４のＲＡＭ１５０は空き状態（ルックアップテーブルとして使用されない状態）となっている
【００４２】
Ｃ２．更新設定：
画像表示装置の動作途中にルックアップテーブルを書き換えて更新する場合、以下の手順で実行される。
【００４３】
図３の色信号調整回路４０において、第４のＲＡＭ１５０が空き状態となっている。そこで、この空き状態の第４のＲＡＭ１５０に書き換えたいＲのルックアップテーブルを設定する。図７は、Ｒ用のルックアップテーブルを書き換えた後の色信号調整回路４０を示す説明図である。第４のＲＡＭ１５０に新しいＲのルックアップテーブルが記憶されているので、アドレス選択回路１１０では、Ｒの色信号ＲＩが第４のＲＡＭ１５０の入力アドレス信号となるように選択され、アドレス信号ＡＤが第１のＲＡＭ１２０の入力アドレス信号となるように選択されている。また、データ選択回路１６０では、第４のＲＡＭ１５０の出力信号ＲＤ４が出力色信号ＲＯとなるように選択され、第１のＲＡＭ１２０の出力信号ＲＤ１が読み出し信号ＲＤとなるように選択されている。
【００４４】
ここで、図７の第１のＲＡＭ１２０には、書き換え前のＲ用のルックアップテーブルが設定されているので不要である。そこで、第１のＲＡＭ１２０に書き変えたいＧ用のルックアップテーブルを設定する。図８は、Ｇ用のルックアップテーブルを書き換えた後の色信号調整回路４０を示す説明図である。第１のＲＡＭ１２０に新しいＧ用のルックアップテーブルが設定されているので、アドレス選択回路１１０では、Ｇの色信号ＧＩが第１のＲＡＭ１２０の入力アドレス信号となるように選択され、アドレス信号ＡＤが第２のＲＡＭ１３０の入力アドレス信号となるように選択されている。また、データ選択回路１６０では、第１のＲＡＭ１２０の出力信号ＲＤ１が出力色信号ＧＯとなるように選択され、第２のＲＡＭ１３０の出力信号ＲＤ２が読み出し信号ＲＤとなるように選択されている。
【００４５】
また、図８の第２のＲＡＭ１３０は、書き換え前のＧ用のルックアップテーブルが設定されているので不要である。そこで、第２のＲＡＭ１３０に書き変えたいＢ用のルックアップテーブルを設定する。図９は、Ｂ用のルックアップテーブルを書き換えた後の色信号調整回路４０を示す説明図である。第２のＲＡＭ１３０に新しいＢのルックアップテーブルが設定されているので、アドレス選択回路１１０では、Ｂの色信号ＢＩが第２のＲＡＭ１３０の入力アドレス信号となるように選択され、アドレス信号ＡＤが第３のＲＡＭ１４０の入力アドレス信号となるように選択されている。また、データ選択回路１６０では、第２のＲＡＭ１３０の出力信号ＲＤ２が出力色信号ＢＯとなるように選択され、第３のＲＡＭ１４０の出力信号ＲＤ３が読み出し信号ＲＤとなるように選択されている。
【００４６】
以上のようにして、４つのＲＡＭ１２０〜１５０のうち空き状態となっている１つのＲＡＭに書き換えたい１つの色のルックアップテーブルを設定することにより、順に不要となるＲＡＭが発生する。この不要となるＲＡＭを利用することにより、すべての色のルックアップテーブルを更新することができる。ルックアップテーブルの書き換えは、不要となったＲＡＭを利用して行っているので、従来発生したような書き換えによって発生するノイズの重畳を防止することができる。また、ルックアップテーブルの書き換え中も、ルックアップテーブルを介した色信号によって画像を表示することができるので、色あいが大きく変わってしまうこともない。
【００４７】
なお、上述のルックアップテーブルの書き換えは、第１ないし第３のＲＡＭ１２０〜１４０にＲ、Ｇ、Ｂの各色のルックアップテーブルが最初に記憶されている場合を例に説明しているが、これに限定されるものではなく、４つのＲＡＭ１２０〜１５０のうちいずれかの３つのＲＡＭに、Ｒ，Ｇ，Ｂの各色のルックアップテーブルが設定されている場合においても適用可能である。また、上記実施例では、各色のルックアップテーブルすべてを書き換える場合を例に説明しているがこれに限定されるものではなく、いずれか１つまたは２つのルックアップテーブルを書き換える場合においても適用可能である。
【００４８】
なお、この発明は上記の実施例や実施形態に限られるものではなく、その要旨を逸脱しない範囲において種々の態様において実施することが可能であり、例えば次のような変形も可能である。
【００４９】
上記実施例では、画像表示部として透過型液晶パネルを利用したプロジェクタの構成について説明したが、本発明は、他のタイプのプロジェクタにも適用可能である。他のタイプのプロジェクタとしては、反射型液晶パネルを利用したものや、デジタル・マイクロミラー・デバイス（テキサスインスツルメント社の商標）を用いたもの、また、ＣＲＴを用いたものなどがある。また、プロジェクタに限らず、直視型の画像表示装置等種々の画像穂表示装置に適用可能である。
【００５０】
上記実施例では、アドレス選択回路１１０は、４つの入力と４つの出力との組み合わせを任意に変換可能に構成されているが、アドレス選択回路１１０は少なくとも図３ないし図９に示した所定の組み合わせを実現できれば良い。これはデータ選択回路１６０でも同様である
【図面の簡単な説明】
【図１】この発明の実施例としての画像表示装置の全体構成を示すブロック図である。
【図２】色信号調整回路４０の内部構成を示すブロック図である。
【図３】画像表示装置の初期化時における色信号調整回路４０を示す説明図である。
【図４】第１のＲＡＭ１２０にＲ用のルックアップテーブルを設定する場合を示す説明図である。
【図５】第２のＲＡＭ１３０にＧ用のルックアップテーブルを設定する場合を示す説明図である。
【図６】第３のＲＡＭ１４０にＢ用のルックアップテーブルを設定する場合を示す説明図である。
【図７】Ｒ用のルックアップテーブルを書き換えた後の色信号調整回路４０を示す説明図である。
【図８】Ｇ用のルックアップテーブルを書き換えた後の色信号調整回路４０を示す説明図である。
【図９】Ｂ用のルックアップテーブルを書き換えた後の色信号調整回路４０を示す説明図である。
【図１０】従来の色信号調整装置の概略構成を示すブロック図である。
【符号の説明】
１０…ＡＤ変換回路
２０…ビデオプロセッサ
３０…画像メモリ
４０…色信号調整回路
５０…液晶パネル駆動回路
６０…液晶パネル
７０…コントローラ
７０ｂ…バス
９０…照明装置
１００…投射光学系
１１０…アドレス選択回路
１２０，１３０，１４０，１５０…ＲＡＭ
１６０…データ選択回路
ＳＣ…スクリーン
３１０Ｒ，３１０Ｇ，３１０Ｂ…アドレスセレクタ
３２０Ｒ，３２０Ｇ，３２０Ｂ２０…ＲＡＭ
３３０…データセレクタ
【図１】
0003724339.tif 000002
【図２】
0003724339.tif 000003
【図３】
0003724339.tif 000004
【図４】
0003724339.tif 000005
【図５】
0003724339.tif 000006
【図６】
0003724339.tif 000007
【図７】
0003724339.tif 000008
【図８】
0003724339.tif 000009
【図９】
0003724339.tif 000010
【図１０】
0003724339.tif 000011